(57)【要約】      （修正有）【課題】ユーザーの要望に応じて、単独のディスプレイ支持部とするか、パソコン本体とするか、或いは支持及びパソコン本体の機能を同時に備えさせるかを選択可能なディスプレイ支持部を提供する。【解決手段】ディスプレイ支持部２０は、ディスプレイ３０を設置するものであり、ディスプレイは支持を受けた後、一平面上に配置する。主に、メイン台体２０１はディスプレイを組み合わせる為のもので、内設空間２０１１にはマザーボードモジュールを組み入れ、パソコン本体とすることが可能となる様に構成する。【選択図】図４
0003153778.tif 000002
【実用新案登録請求の範囲】
【請求項１】
組み合わせたディスプレイを支持してディスプレイを平面に配置させるディスプレイ支持部は、
支持面を成形し、支持面の両端エッジには制御壁部を成形し、支持面底端には水平組立面を成形するメイン台体と、
平面に組立部を成形し、前記組立部とメイン台体の制御壁部を組み合わせることにより内設空間を形成する蓋体と、
一平面上にメイン台体を組み合わせるベース体と、
メイン台体の支持面に組み合わせ、ディスプレイを装着した後はディスプレイに支持と安定作用を提供する組立台とにより構成されることを特徴とするディスプレイ支持部。
【請求項２】
請求項１記載のディスプレイ支持部において、マザーボードモジュールを前記内設空間に組み入れて、組立を完成させた後はパソコン本体となることを特徴とするディスプレイ支持部。
【請求項３】
請求項２記載のディスプレイ支持部において、マザーボードモジュールを内設空間に組み入れた後、マザーボードモジュールに組み合わせる各ポートは内設空間の上方に露出することを特徴とするディスプレイ支持部。
【請求項４】
請求項１記載のディスプレイ支持部において、前記蓋体の組立部にはレール形状を成形し、蓋体の組立部がメイン台体に滑入することにより、組立部とメイン台体の制御壁部は相互の組み合わせを形成することを特徴とするディスプレイ支持部。
【請求項５】
請求項１記載のディスプレイ支持部において、組立台は更に角度調整装置を設けてディスプレイの角度調整を行なうことを特徴とするディスプレイ支持部。
【請求項６】
組み合わせたディスプレイを支持してディスプレイを平面に配置させるディスプレイ支持部は、
支持面を成形し、支持面の両端エッジには制御壁部を成形し、支持面底端には水平組立面を成形するメイン台体と、
一端を枢着部によってメイン台体の一端と枢着することにより、枢着部を基本としてメイン台体の開閉をし、他の一端に嵌合部を設けることにより、メイン台体に被覆した後、メイン台体と相対的に固定し、メイン台体を被覆した後は内設空間を形成する蓋体と、
一平面上にメイン台体を組み合わせるベース体と、
メイン台体の支持面に組み合わせ、ディスプレイを装着した後はディスプレイに支持と安定作用を提供する組立台とにより構成されることを特徴とするディスプレイ支持部。
【請求項７】
請求項６記載のディスプレイ支持部において、前記ディスプレイとマザーボードモジュールは情報連結を行ってパソコンの完全な構造を形成することを特徴とするディスプレイ支持部。
【請求項８】
請求項６記載のディスプレイ支持部において、前記組立台には更に角度調整装置を設けてディスプレイを角度調整することを特徴とするディスプレイ支持部。
【請求項９】
組み合わせたディスプレイを支持してディスプレイを平面に配置させるディスプレイ支持部は、
支持面を成形し、支持面の平面上に組立部を成形し、底端には底組立部を成形するメイン台体と、
両端エッジにはそれぞれ制御壁部を成形し、各制御壁部の末端にはそれぞれ相対組立部を成形し、前記相対組立部とメイン台体の組立部を組み合わせた後は内設空間を形成する蓋体と、
一平面上にメイン台体の底組立部を配置するベース体と、
メイン台体の支持面に組み合わせ、ディスプレイを装着した後はディスプレイに支持と安定性を提供する組立台とにより構成されることを特徴とするディスプレイ支持部。
【請求項１０】
請求項９記載のディスプレイ支持部において、メイン台体の組立部と蓋体の相対組立部はレール形状を成すことを特徴とするディスプレイ支持部。
【考案の詳細な説明】
【技術分野】
【０００１】
ディスプレイ支持部は、ディスプレイを組み立てた後、ディスプレイをサポートして平面に配置するものであり、本考案は特に内設空間を成形し、マザーボードモジュールを組み入れた後は、パソコン本体のディスプレイ支持部を形成する。
【背景技術】
【０００２】
ディスプレイ支持部はディスプレイを組み立てた後、この支持部の作用によりディスプレイを平面に安定配置することを可能とするもので、その関連機構の応用においては、良好な支持力、安定性、及び装着の簡易性を主なポイントとするが、現有の応用における前記支持部は、支持及び安定作用を提供するだけである。図１の公知のディスプレイに関する立体外観図に示す通り、図中のディスプレイ１０の背面には組立構造部１０１を成形する。支持部１１はメイン支持体１１１、ベース体１１２により構成される。前記メイン支持体１１１の上端に近い箇所は、ディスプレイ１０背面の組立構造部１０１と装着することにより、ディスプレイ１０をメイン支持体１１１に取り付けることが可能となる。装着完成後、ディスプレイ１０は、メイン支持体１１１の支持力及びベース体１１２によって、ディスプレイ１０を安定的に平面上に配置できる。ディスプレイ１０を実際に応用する場合、パソコン本体（未図示）を組み合わせる必要があり、二者が相互情報を連結した後、パソコン本体が実行した結果がディスプレイに表示される。
【０００３】
上述した通り、ディスプレイ１０とパソコン本体は独立した二つの個体であり、実際に応用する時、二者には適当な空間があってこそ、ディスプレイ１０及びパソコン本体を同時に配置することが可能となる。よく見られる形態は、ディスプレイを机の上に置き、パソコン本体は空間を考慮しなければならない故に机の下に配置するのが通常である。近年来、市場では、空間縮小、装着の簡易性、及びコスト削減の要求に応じて、メーカーによって体積の小さいマイクロ型パソコンが開発された。その体積は、ほぼ一般のパソコン本体の３分の１から４分の１であり、ユーザーが使用する場合、パソコン本体をディスプレイ後方に掛設し、使用空間を節約できる。または、この種のパソコン本体を机の上に置いたとしても占める空間は小さい。よって、空間を節約でき、ディスプレイとパソコン本体の統合的機能を兼ね備えることができるなら、その実用性を大幅に向上させることが可能である。
【考案の概要】
【考案が解決しようとする課題】
【０００４】
本考案の目的は、使用上の要望に応え、組立後、機能を応用できるディスプレイ支持部を提供することにある。
【課題を解決するための手段】
【０００５】
上述の目的を達成するため、本考案はメイン台体、及び蓋体によって構成される支持及び安定作用のあるものであり、しかもメイン台体と蓋体間に内設空間を形成してマザーボードモジュールを組み入れ、組立完成後、パソコン本体を形成し、ユーザーが使用する場合、実際の要望に応じて、本考案を単独のディスプレイ支持部とするか、パソコン本体とするか、或いは支持及びパソコン本体の機能を同時に備えさせるかを選択することが可能である。
【考案の効果】
【０００６】
本考案のディスプレイ支持部は、メイン台体と蓋体間に内設空間を形成してマザーボードモジュールを組み入れてパソコン本体とすることが可能であり、ユーザーは実際の要望に応じて、単独のディスプレイ支持部とするか、パソコン本体とするか、或いは支持及びパソコン本体の機能を同時に備えさせるかを選択可能であることを特徴とする。
【図面の簡単な説明】
【０００７】
【図１】公知のディスプレイの立体外観図である。
【図２】本考案の立体外観図である。
【図３】本考案の構成要素の分解図である。
【図４】本考案の実施図（１）である。
【図５】本考案の実施図（２）である。
【図６】本考案の第二実施例である。
【図７】本考案の第三実施例である。
【図８】本考案の第四実施例である。
【図９】本考案の第五実施例である。
【図１０】本考案の第六実施例である。
【図１１】本考案の第七実施例である。
【考案を実施するための形態】
【０００８】
図２に示す通り、図中に示した本考案の立体外観図において、本考案のディスプレイ支持部２０は、主にメイン台体２０１、蓋体２０２、ベース体２０３、及び組立台２０４により構成され、その内のメイン台体２０１と蓋体を相互に組み合わせた後、内設空間２０１１が形成される。また、メイン台体２０１はベース体２０３上方に装着し、ベース体２０３によってメイン台体２０１を安定した状態で一平面上に配置し、且つ、メイン台体２０１は効果的な支持作用を提供する。図中に示す通り、組立台２０４はメイン台体２０１の平面に固着し、組立台２０４によってディスプレイ（未図示）との組み合わせを完成させると、前記ディスプレイは本考案中のメイン台体２０１に支持され、且つベース体２０３の作用によって、一平面に安定配置される。
【０００９】
図３の本考案構成要素の分解図に示す通り、メイン台体２０１は、包み込み形状且つ対称となる二つの制御壁部２０１２を成形したものであり、メイン台体２０１の支持面２０１３には複数の貫通孔２０１４を成形し、他の水平組立面２０１５には複数の貫通孔２０１６を成形する。メイン台体２０１に対応する蓋体２０２の平面２０２１には、対称的な組立部２０２２を成形する。図中に示した組立部２０２２はレール形状であるが、例えば鍵形状の様な別の形式とすることも可能である。また、蓋体２０２の平面には複数の貫通孔２０２３を形成する。ベース体２０３の底部平面によってベース体２０３を平面上に平らに配置することができる。ベース体２０３の平面上には複数のネジ孔２０３１を成形する。組立台２０４の各平面には、複数のネジ孔２０４１、ネジ孔２０４２を成形する。図に示す通り、各構成要素を組み立てる場合、メイン台体２０１をベース体２０３の平面に設置する。本実施例における複数のネジ２０５を固定部品とし、メイン台体２０１とベース体２０３を装着する。また、組立台２０４はメイン台体２０１の外部平面に設置し、蓋体２０２はメイン台体２０１の制御壁部２０１２に設ける。図に示す通り、蓋体２０２は組立部２０２２によって制御壁部２０１２のエッジに沿って下方へ滑り入れることで組立を完成する。
【００１０】
図４の本考案の実施図（１）に示す通り、メイン台体２０１と蓋体２０２は組立を完成させると内設空間２０１１を形成する。内設空間２０１１は全ラインの必要とする空間を提供する。また、ディスプレイ３０の背面には組立構造部３０１を成形する。組み立てる場合、ディスプレイ３０の組立構造部３０１はメイン台体２０１に対応し、並びに、二者を相互に固設すると、ディスプレイ３０はメイン台体２０１の上端エッジに近い箇所に固定される。これにより、本考案はディスプレイ３０の支持台（即ち本考案のディスプレイ支持部２０）を形成する。更に、図５の本考案の実施図（２）を参照されたい。
【００１１】
図６の本考案の第二実施例に示す通り、本考案に示すメイン台体２０１及び蓋体２０２を組み立てた後に形成される内設空間２０１１（図２参照）は、全ライン空間としての効果を提供する他、内設空間２０１１内にマザーボードモジュール４０を組み合わせることも可能であり、これによって、本考案の開示するディスプレイ支持部２０は同時にパソコン本体を形成する。前記マザーボードモジュール４０は一般パソコン本体内部のマザーボードモジュール４０のことであり、中央処理装置、メモリーユニット、表示インターフェースユニット、保存装置等を最低備える。よって、本考案のディスプレイ支持部２０はディスプレイ３０を支持及び安定化させる効果を提供する他、同時に、パソコン本体を全体構造の中において整合させ、パソコン構造に必要な空間を効果的に縮小する。図に示す通り、組立を完成させた後、ディスプレイ３０は表示機能を備え、背面のディスプレイ支持部２０内部のマザーボードモジュール４０と情報連結を完成した後は、完全なパソコンを形成し、使用者は過大な使用空間を必要とせずにパソコンを完全に組み立てることが可能である。また、前記のマザーボードモジュール４０の組み入れが完了した後、各ポート４０１は内設空間２０１１の上方に露出している故、その他周辺機器（外付けハードディスク、プリンター等）とマザーボードモジュール４０の情報連結に便利である。
【００１２】
図７の本考案の第三実施例に示す通り、本考案のディスプレイ支持部２０は、独立するディスプレイへの応用の他、ベース体２０３に設置せずに、フラット状態で配置することも可能である。それは、メイン台体２０１と蓋体２０２を組み立てた後、内設空間２０１１を形成し（図２参照）全体をパソコン外殻とし、更にマザーボードモジュール４０を内設空間２０１１に組み入れることによりパソコン本体を形成する。体積が小さい故、机上に置いても過多空間を占めることがなく、ディスプレイ支持部５０１を備えるディスプレイ５０と前記マザーボードモジュール４０の情報連結が完成すると、完全なパソコンとなる。
【００１３】
図８の本考案の第四実施例に示す通り、本考案のディスプレイ支持部２０のメイン台体２０１と蓋体２０２は、前記実施例においてレール式組み合わせを採用しているが、本実施例では更に、別の組み合わせ方式を提供する。それは主に、枢着部２０１７を利用し、メイン台体２０１と蓋体２０２の何れか一端を対称的に枢着し、他の一端には嵌合部２０１８を設けたものである（固定ネジでも可）。応用する場合、マザーボードモジュール４０の装着、メンテナンスが必要な場合は、嵌合部２０１８のロックを解除して、蓋体２０２を開き、枢着部２０１７の位置に基づいて開いた状態にすると、使用者が装着やメンテナンスをするのに便利である。
【００１４】
図９の本考案の第五実施例に示す通り、本考案のディスプレイ支持部２０は、組立台２０４の位置において角度調整装置２０４３を設ける。これにより、ディスプレイ５０を設置した後、角度調整を行なうことが可能となり、実際使用時の視覚角度に符合する。
【００１５】
図１０の本考案の第六実施例に示す通り、図中に示したディスプレイ支持部６０のメイン台体６０１は、支持面６０１１を成形し、その底端には底組立部６０１２を連結し、また、支持面６０１１の平面上には組立部６０１３を成形し（本実施例における組立部６０１３はレール形状を成す）、並びに、支持面６０１１の平面には複数の貫通孔６０１４を成形し、また、底組立部６０１２の平面上には複数の貫通孔６０１４を別に成形する。蓋体６０２には組立面６０２１を成形し、組立面６０２１には複数の貫通孔６０２２を成形する。通気作用を備え、マザーボードモジュールを固設する（未図示）為のものである。組立面６０２１の両端はそれぞれ湾曲した制御壁部６０２３を成形し、制御壁部６０２３の末端を折り曲げて相対組立部６０２４を成形する。図に示す通り、相対組立部６０２４はレール形状であるが、例えば鍵形状の様な別の形式とすることも可能である。ベース体６０３の底部平面によってベース体６０３を平面上にフラット状態で配置することができる。ベース体６０３の平面６０３１上には複数のネジ孔６０３２を成形する。組立台６０４の各平面には、複数のネジ孔６０４１、ネジ孔６０４２を成形する。図に示す通り、各構成要素を組み立てる場合、メイン台体６０１をベース体６０３の平面に設置する。本実施例における複数のネジ６０５を固定部品とし、メイン台体６０１とベース体６０３を装着する。また、組立台６０４はメイン台体６０１の外部平面に設置し、蓋体６０２の相対組立部６０２４をメイン台体６０１の支持面６０１１の組立部６０１３に組み入れる（レール式で滑り入れる）。図に示す通り、蓋体６０２の制御壁部６０２３は組立部６０１３エッジに沿って下方に滑り入れることで組立を完成する。組立を完成すると、メイン台体６０１と蓋体６０２の間には内設空間６０２５が形成される。
【００１６】
図１１の本考案の第七実施例に示す通り、本考案に述べたディスプレイ支持部６０は、メイン台体６０１と蓋体６０２間に設けた内設空間６０２５は、マザーボードモジュール４０をその中に組み入れることが可能であり、パソコン本体を形成する。ディスプレイ５０と前記パソコン本体の装着空間を効果的に整合する。
【００１７】
前述した通り、本考案はメイン台体、及び蓋体によって構成される支持作用を備えたものであり、しかも二者間に内設空間を形成してマザーボードモジュールを組み入れてパソコン本体を形成する。本考案は更にディスプレイと相互に組み合わせて、パソコン本体とディスプレイが一体化し、パソコンの使用空間を大幅に縮減し、更に、使用者が本考案を使用する場合、実際の要望に応じて、本考案を単独の支持部とするか、パソコン本体機能を備える支持部とするか、或いは単独のパソコン本体の機能とするかを選択可能である。よって、前述した通り本考案を実施した後は、確実に使用要求に応え、組立後に効果を発揮するディスプレイ支持部を提供する目的を確実に達成することが可能である。
【符号の説明】
【００１８】
１０  ディスプレイ
１０１  組立構造部
１１  支持部
１１１  メイン支持体
１１２  ベース体
２０  ディスプレイ支持部
２０１  メイン台体
２０１１  内設空間
２０１２  制御壁部
２０１３  支持面
２０１４  貫通孔
２０１５  水平組立面
２０１６  貫通孔
２０１７  枢着部
２０１８  嵌合部
２０２      蓋体
２０２１  平面
２０２２  組立部
２０２３  貫通孔
２０３      ベース体
２０３１  ネジ孔
２０４  組立台
２０４１  ネジ孔
２０４２  ネジ孔
２０４３  角度調整装置
２０５  ネジ
３０  ディスプレイ
３０１  組立構造部
４０  マザーボードモジュール
４０１  ポート
５０  ディスプレイ
５０１  ディスプレイ支持部
６０  ディスプレイ支持部
６０１  メイン台体
６０１１  支持面
６０１２  底組立部
６０１３  組立部
６０１４  貫通孔
６０２  蓋体
６０２１  組立面
６０２２  貫通孔
６０２３  制御壁部
６０２４  相対組立部
６０２５  内設空間
６０３  ベース体
６０３１  平面
６０３２  ネジ孔
６０４  組立台
６０４１  ネジ孔
６０４２  ネジ孔
【図１】
0003153778.tif 000003
【図２】
0003153778.tif 000004
【図３】
0003153778.tif 000005
【図４】
0003153778.tif 000006
【図５】
0003153778.tif 000007
【図６】
0003153778.tif 000008
【図７】
0003153778.tif 000009
【図８】
0003153778.tif 000010
【図９】
0003153778.tif 000011
【図１０】
0003153778.tif 000012
【図１１】
0003153778.tif 000013